(57)【要約】【課題】  １件のメールを自動的に複数のメールに分割して送信する。【解決手段】  制御回路３６が、入力部４４から本文の入力があると判定すると（Ｓ２ステップ）、本文をバッファに格納し（Ｓ３ステップ）、入力文字数が１回の送信で送信可能な文字数をオーバーすると（Ｓ４ステップ）、分割送信の問い合わせを表示し（Ｓ５ステップ）、分割送信であれば文字入力を継続させ（Ｓ７ステップ）、本文作成終了後に、作成された１件分のメールを分割して送信する。【選択図】      図５
2006260031.tif 000002
【特許請求の範囲】
【請求項１】
１件のメールを分割して送受信可能な通信装置であり、
１件のメールを複数件分のメールに分割する分割手段と、分割したメールを送信する送信手段と、を有することを特徴とする通信装置。
【請求項２】
１件のメールを分割して送受信可能な通信装置であり、
１件のメールが複数件分のメールに分割され、該分割されたメールを受信する受信手段と、分割されたメールの本文をつなぎ合わせ、１件のメール本文にするつなぎ合わせ手段と、該つなぎ合わせ手段により作成された１件のメールを表示する表示手段と、を有することを特徴とする通信装置。
【請求項３】
１件のメールを分割して送受信可能な通信装置であり、
１件のメールを複数検分のメールに分割する分割手段と、該分割手段により分割する際に、何分割して送られてきたメールであるかを示す情報と何番目のメールであるかを示す情報を付加して、メモリに格納する格納手段と、該格納手段に格納されたメールを送信する送信手段と、を有することを特徴とする通信装置。
【請求項４】
１件のメールを分割して送受信可能な通信装置であり、
１件のメールが複数件分のメールに分割され、該分割されたメールを受信可能であり、前記分割されたメール夫々に付された、何分割して送られてきたメールであるかを示す情報と何番目のメールであるかを示す情報も受信可能な受信手段と、
該受信手段が受信した、何分割して送られてきたメールであるかを示す情報と何番目のメールであるかを示す情報に基づいて、分割されたメールの本文をつなぎ合わせ、１件のメール本文にするつなぎ合わせ手段と、
該つなぎ合わせ手段により作成された１件のメールを表示する表示手段と、を有することを特徴とする通信装置。
【発明の詳細な説明】
【技術分野】
【０００１】
本発明は、メールを送信可能な携帯電話装置等の通信装置に関するものである。
【背景技術】
【０００２】
近年の携帯電話装置等の通信装置には、メール機能が搭載されている。通常のＥメールと呼ばれるメールでは、送信側が相手先のメールアドレスと本文を入力し、入力したメールアドレス先へ本文が送信される。
【０００３】
又、ＫＤＤＩ株式会社が提供するサービスにＣメールというものがある。このサービスでは、送信側のユーザが本文を入力し、送信先の電話番号を入力することにより、入力された電話番号の宛先へメッセージを送信することが可能である。但し、このＣメールサービスでは１度の通信で送られるメッセージ数に限りがあり、例えば１度の通信で５０文字を送信することが可能である。
【０００４】
更に、このようなメールサービスに関する技術も多く提案されており、例えば特許文献１では、氏名を選択すると選択された氏名に対応する電話番号を電話帳データから読み込み、読み込んだ電話番号を電子メールの宛先として設定する技術が提案されている。
【特許文献１】特開２００２−３２００２５号公報
【発明の開示】
【発明が解決しようとする課題】
【０００５】
しかしながら、従来のＣメールサービスでは、一度の通信で送信できる文字数が限られているという問題がある。
又、ユーザが相手先に長い文章のメールを送ろうとすると、まずメール文章を作成して送信し、この送信が終了した後に続くメール文章を作成して送信するという非常に手間のかかる操作が必要である。このような操作を行うことにより、とりあえず長文のメールは複数の送信動作で分けて送信可能であるが、メールを作成するユーザは、次の送信メールを作成する時に、以前送信したメールの本文のどこまで入力して送信したかを一々覚えていなければならない。
又、メールを受信する側は、着信履歴順にメールを順番に見ることによりメールを読むことが可能であるが、一連のメール本文を診るためには、次のメールの本文を見る前に、前のメールの本文の内容を覚えておく必要があり、非常に読みづらいという問題がある。更に、長い文章のメールを複数のメールに分けて送信され、それぞれの送信を受信する際に、他のメールの相手先からの受信が割り込むと、分けて送信されたメールの関連づけが難しくなる。
【課題を解決するための手段】
【０００６】
本発明は、このような問題を解決する為のものであり、請求項１記載の発明は、１件のメールを分割して送受信可能な通信装置であり、１件のメールを複数件分のメールに分割する分割手段と、分割したメールを送信する送信手段と、を有することを特徴とする。
【０００７】
請求項２記載の発明は、１件のメールを分割して送受信可能な通信装置であり、１件のメールが複数件分のメールに分割され、該分割されたメールを受信する受信手段と、分割されたメールの本文をつなぎ合わせ、１件のメール本文にするつなぎ合わせ手段と、該つなぎ合わせ手段により作成された１件のメールを表示する表示手段と、を有することを特徴とする。
請求項３記載の発明は、１件のメールを分割して送受信可能な通信装置であり、１件のメールを複数検分のメールに分割する分割手段と、該分割手段により分割する際に、何分割して送られてきたメールであるかを示す情報と何番目のメールであるかを示す情報を付加して、メモリに格納する格納手段と、該格納手段に格納されたメールを送信する送信手段と、を有することを特徴とする。
請求項４記載の発明は、１件のメールを分割して送受信可能な通信装置であり、１件のメールが複数件分のメールに分割され、該分割されたメールを受信可能であり、前記分割されたメール夫々に付された、何分割して送られてきたメールであるかを示す情報と何番目のメールであるかを示す情報も受信可能な受信手段と、該受信手段が受信した、何分割して送られてきたメールであるかを示す情報と何番目のメールであるかを示す情報に基づいて、分割されたメールの本文をつなぎ合わせ、１件のメール本文にするつなぎ合わせ手段と、該つなぎ合わせ手段により作成された１件のメールを表示する表示手段と、を有することを特徴とする。
【発明の効果】
【０００８】
請求項１記載の発明によれば、１件のメールを複数件分のメールに分割して送信する為、送信側のユーザが一々メールを１件１件作成して送信する操作を行う必要がない。
請求項２記載の発明によれば、分割して送信されたメールを１件のメールとしてつなぎ合わせ表示する為、受信側のユーザが一々分割して送信されたメールを１件１件見る必要が無いため、操作が簡単であり、ユーザが容易にメール本文を見ることが可能である。
請求項３記載の発明によれば、分割されたメールに、何分割して送られてきたメールであるかを示す情報と何番目のメールであるかを示す情報を付して送信する為、受信側でこれら情報に基づいて分割送信されたメールを１つのメールにつなぎ合わせることが可能である。
請求項４記載の発明によれば、受信側が、分割されたメールと、何分割して送られてきたメールであるかを示す情報と何番目のメールであるかを示す情報を受信する為、これら情報に基づいて分割送信されたメールを１つのメールにつなぎ合わせることが可能である。
【発明を実施するための最良の形態】
【０００９】
図１は、本発明の一実施形態に係る通信システムの構成図である。
【００１０】
図１において、端末１００は、Ｃメール送信側の端末であり、前記端末１００は基地局１１０を介して管理局１２０と接続可能である。一方、端末１４０はＣメール受信側の端末であり、前記端末１００は基地局１３０を介して管理局１２０と接続可能である。
【００１１】
端末１００は、Ｃメールの本文、宛先の電話番号を入力し送信すると、管理局が端末１４０に対して送信を行いメール本文を送信する。端末１４０がこれを受信することにより、メール送信が行われる。又、管理局１２０側から端末１４０を呼び出せないときには、メールを一旦管理局１２０に蓄えておき、所定時間毎に管理局から端末１４０を呼出、端末１４０が着信に応答すると、管理局１２０から端末１４０に管理局１２０で蓄えていたメールを送信する。
【００１２】
次に、本発明の一実施形態に係る携帯電話装置について、図面を参照して説明する。
【００１３】
図２及び図３は、本発明を適用してなる実施例装置（折畳式携帯電話装置）の斜視図である。
【００１４】
図２において、携帯電話装置１０は、ディスプレイ４２を有する第１の筐体１１０と、入力部４４と着信ランプ５７を有する第２の筐体１２０とが、ヒンジ部３００を介して接続されており、図中矢印方向に開閉可能である。
【００１５】
又、第２の筐体１２０には、側面キー５８が搭載されており、前記側面キー５８は、例えばマナーモード（着信時に着信音を出力せずにバイブレータで着信を報知するモード）のオン、オフを切り替える為のキーである。尚、前記側面キー５８の機能はこのマナーモードに限定されず、他の機能でもよく、又、側面キー５８は複数あっても良い。
【００１６】
図３は、図２に示す携帯電話装置１０の背面から見た斜視図であり、第２筐体１２０にアンテナ２と着信ランプ５７が搭載されている。
【００１７】
図４に示すように、携帯電話装置１０は、アンテナ１６と接続された通信部１２を備えている。この通信部１２は、後述のベースバンド部１４からの信号をアンテナ１６を介して基地局へ発信し、あるいはアンテナ１６を介して基地局からの電波を受信する。この通信部１２により、携帯電話装置１０は、他の通信装置（例えば、携帯電話装置など）と通信（通話）することができるとともに、電子メールの送受信が可能となり、さらにはインターネットに接続することも可能となる。
【００１８】
また、通信部１２は、ベースバンド部１４と接続されている。ベースバンド部１４は、ＣＤＭＡ処理回路１８と、音声コーデック２０と、を有している。ここで、ＣＤＭＡ処理回路１８は、符号分割多元接続、スクランブル、誤り制御、タイミング検出を行う。また、音声コーデック２０は、音声を圧縮（符号化）、伸張（復号化）したり、アナログとデジタルの変換を行ったり、内部の増幅回路（図示省略）により受話音量やマイクロホンの感度を変更する。
【００１９】
また、ベースバンド部１４には、切替回路２２が接続されている。この切替回路２２には、増幅回路２４を介して第１スピーカ２６が接続されている。この第１スピーカ２６は、増幅回路２４で増幅されたベースバンド部１４の電気信号を音声に変換する。この第１スピーカ２６は、ユーザの耳にあてて通話に使用される。
【００２０】
また、切替回路２２には、増幅回路２８を介してマイクロホン３０が接続されている。このマイクロホン３０は、通話に使用され、音声を電気信号に変換する。マイクロホン３０により出力された電気信号は、増幅回路２８で増幅されてベースバンド部１４に出力される。
【００２１】
また、切替回路２２には、増幅回路３２を介して第２スピーカ３４が接続されている。この第２スピーカ３４は、増幅回路３２で増幅されたベースバンド部１４の電気信号を音声に変換する。この第２スピーカ３４は、受話音を周囲の人にも聞かせるための拡声用のスピーカである。また、第２スピーカ３４は、着信報知の鳴動も行う。なお、これらの３つの増幅回路２４、２８、３２は、ゲインを固定しており、第１スピーカ２６及び第２スピーカ３４の音量やマイクロホン３０の感度を変更することはできないようになっている。
【００２２】
この切替回路２２は、ベースバンド部１４との接続を、第１スピーカ２６用の増幅回路２４とマイクロホン３０用の増幅回路２８側にするか、あるいは拡声用の第２スピーカ３４用の増幅回路３２とマイクロホン３０用の増幅回路２８側にするかを切り替える。
【００２３】
また、通信部１２、ベースバンド部１４及び切替回路２２には、制御回路（制御手段）３６がそれぞれ接続されている。この制御回路３６の制御により上述した切替回路２２による切り替えが行われる。また、制御回路３６によりベースバンド部１４の音声コーデック２０が制御され、音声コーデック２０により第１スピーカ２６及び第２スピーカ３４の音量やマイクロホン３０の感度が変更される。
制御回路３６は、ＲＯＭ（Ｒｅａｄ  Ｏｎｌｙ  Ｍｅｍｏｒｙ）３８と接続されており、ＲＯＭ３８に格納されているシステムプログラムに基づき各部を制御する。又、制御回路３６にはバッファ３６１が搭載されており、このバッファ３６１には、制御回路３６が制御するデータ（例えば、表示する為の電話番号等のデータ等）が一時的に格納される。
【００２４】
また、制御回路３６は、ＲＡＭ（Ｒａｎｄｕｍ  Ａｃｃｅｓｓ  Ｍｅｍｏｒｙ）４０と接続されている。このＲＡＭ４０には、入力部４４で入力されたメールデータ（メールの本文、送信先の電話番号等）が複数件格納可能であり、又、受信したメールのメールデータも同様に複数件格納可能である。
【００２５】
具体的には、図８に示すように、入力部４４で入力されたメールデータを複数格納する領域（送信メールフォルダ）と、受信したメールデータを複数格納する領域（受信メールフォルダ）と、入力したメールを一時的に格納する領域（一時フォルダ）を有している。又、何分割して送られてきたメールであるかを示す情報と何番目のメールであるかを示す情報も格納される。
【００２６】
尚、送信先電話番号と本文データは必ずしも同じ領域に格納されなくてもよく、送信先電話番号と本文データを関連付けて別々の領域に格納しても良い。又、ＲＡＭ４０ではなくフラッシュメモリを使用しても良い。
また、制御回路３６には、液晶のディスプレイ４２が接続されている。このディスプレイ４２には、現在の時刻、電話番号、電子メールの内容、インターネットによりダウンロードされたサイト画像、押下されたキーの機能名の表示等の所定の情報が表示される。
【００２７】
また、制御回路３６には、入力部４４が接続されている。この入力部４４は、電話番号等の入力を行うテンキー４８と、通話の開始を操作する通話キー５０と、通話の終了を操作する切キー５２と、クリアキー５４と、を有している。
【００２８】
バイブレータ５６は、振動により着信を報知する為のバイブレータである。
【００２９】
着信ランプ５７は、着信時に、着信を報知する為に点灯或いは点滅する。
【００３０】
更に、開閉検出部５５を有しており、前記開閉検出部５５は、筐体の開閉を検出する。
【００３１】
次に、本実施形態に係る携帯電話装置１０の作用について、図５〜図７に示すフローチャートに基づいて説明する。
【００３２】
図５は、メール本文の作成処理を示すフロー図である。まず、図５において、メールの送信先電話番号が入力されると、Ｓ１ステップでは、制御回路３６は、本文の作成処理を開始する。
【００３３】
続くＳ２ステップでは、制御回路３６は、入力部４４から本文が入力されると判定するとＳ３ステップへ処理を進め、そうでなければＳ１４ステップへ処理を進める。
【００３４】
Ｓ３ステップでは、制御回路３６は、上記Ｓ２ステップで入力された文字を制御回路３６のバッファ３６１に一時的に格納する。尚、ここでバッファ３６１ではなく、ＲＡＭ４０に一時的に格納しても良い。
【００３５】
続くＳ４ステップでは、制御回路３６は、前記Ｓ２ステップで入力された格納された文字のデータ量、即ち、バッファ３６１に格納されている文字のデータ量が、１回のメール送信で可能なデータ量を超えたと判定すると、Ｓ５ステップへ処理を進め、そうでなければＳ１４ステップへ処理を進める。
【００３６】
Ｓ５ステップでは、制御回路３６は、ディスプレイ４２に分割送信するか否かを問い合わせるメッセージ（例えば、「分割送信しますか」）を表示させ、Ｓ６ステップへ処理を進める。尚、Ｓ５ステップにおいて、メッセージを表示させるのではなく、分割送信（Ｓ５ステップにおいては、具体的には継続して文字入力を可能とすること）を実行する為のアイコンを表示しても良い。この場合、ユーザがアイコンを選択することにより文字入力が継続される。
【００３７】
Ｓ６ステップでは、制御回路３６は、入力部４４から分割送信を実行する指示入力があると判定するとＳ７ステップへ処理を進め、そうでなければＳ１２ステップへ処理を進める。
【００３８】
Ｓ７ステップでは、制御回路３６は、ひきつづき入力部４４から入力された本文のデータをバッファ３６に格納可能とし、Ｓ８ステップへ処理を進める。
【００３９】
Ｓ８ステップでは、制御回路３６は、入力部４４から本文作成終了の操作があると判定するとＳ９ステップへ処理を進め、そうでなければＳ１０ステップへ処理を進める。
【００４０】
Ｓ９ステップでは、制御回路３６は、バッファ３６に格納されている本文データをＲＡＭ４０の一時フォルダに格納し、処理を終了する。
【００４１】
Ｓ１０ステップでは、制御回路３６は、入力部４４から文字入力操作があると判定すると、Ｓ１１ステップへ処理を進め、そうでなければＳ８ステップへ処理を戻す。
【００４２】
Ｓ１１ステップでは、制御回路３６は、上記Ｓ１０ステップで入力された文字データをバッファ２６１に格納し、Ｓ８ステップへ処理を戻す。
【００４３】
Ｓ１２ステップでは、制御回路３６は、上記Ｓ８ステップと同様に、本文作成の終了指示があると判定するとＳ１３ステップへ処理を進め、そうでなければＳ２ステップへ処理を戻す。
【００４４】
Ｓ１３ステップでは、制御回路３６は、上記Ｓ９ステップと同様にバッファ３６１に格納されているメール本文のデータをＲＡＭ４０の一時フォルダに格納する。
【００４５】
尚、上記Ｓ６ステップで分割送信の指示がなければ、Ｓ１２ステップで本文作成を終了し、Ｓ１３ステップで一時フォルダ或いは送信フォルダに作成したメール本文を格納する。即ち、通常のＣメール作成処理と同様の処理を行なうことが可能である。
【００４６】
Ｓ１４ステップでは、制御回路３６は、入力部４４から本文作成終了の指示操作があると判定するとＳ１５ステップへ処理を進め、そうでなければＳ２ステップへ処理を戻す。
【００４７】
Ｓ１５ステップでは、制御回路３６は、バッファ３６１に格納されている文字データをＲＡＭ４０の一時フォルダに格納する。又、一時フォルダにメールデータが存在することを示すアイコンやメッセージなどをディスプレイ４２に表示する。
【００４８】
このように、送信側端末は、メール本文作成時に１回のメール送信で送信可能な文字数以上の入力があると、分割送信するか否かの問い合わせをユーザに対して行い、ユーザが分割送信する旨の操作を行えば、続いてメール本文の入力操作を可能とし、続いて入力されるメール本文をバッファ３６１に格納する。又バッファ３６１に格納されたメール本文データはＲＡＭ４０の一時フォルダに１件分のメール本文データとして格納される。
【００４９】
続いて、送信側のメール送信動作について説明する。
【００５０】
図６は、メール送信動作を示すフロー図である。
【００５１】
図６のＳ２１ステップにおいて、制御回路３６は、入力部４４からメールの送信指示操作があると判定すると、Ｓ２２ステップへ処理を進める。
【００５２】
Ｓ２２ステップでは、制御回路３６は、ＲＡＭ４０の一時フォルダに格納されているメール本文を分割してＲＡＭ４０の送信フォルダに格納する。具体的には、制御回路３６は、一時フォルダに格納されているメール本文のデータを、１回のメール送信で送信可能なデータ量ごと（例えば１００ｂｙｔｅ）に分けると共に、メール本文に自動的に何分割送信であるか、何番目の分割送信であるかを示す番号と、分割メールであることを示す情報を挿入する。例えば、一時フォルダに格納されているメール本文を分割して送信フォルダに格納する際には、例えば、１件目のメールから順に、「１／３」、「２／３」、「３／３」という情報と、分割メールであることを示す情報（例えば、ランダムな記号や文字の列）が自動的に挿入される。尚、２／３の３は、全部で３件メールがあり、２は３件中２件目のメールであることを示している。この例では、一時フォルダに格納されたメールは３件のメールに分割されて送信フォルダに格納されたことになる。
【００５３】
尚、何分割送信であるか、何番目の分割送信であるかを示す番号の情報と、分割メールであることを示す情報は、本文とは別の情報として送信しても良い。この場合、情報はメールのヘッダ等に付けて送信することが考えられる。
【００５４】
続くＳ２３ステップでは、制御回路３６は、電話通信部１２とベースバンド部１４を制御することにより、ＲＡＭ４０の送信フォルダに格納されている分割されたメールを１件送信し、Ｓ２４ステップへ処理を進める。
【００５５】
Ｓ２４ステップでは、制御回路３６は、送信フォルダに格納された分割メールを全て送信したと判定すると処理を終了し、そうでなければＳ２３ステップへ処理を戻す。
【００５６】
このようにして、作成したメールを分割送信する際には、自動的に、１つのメール本文を１回のメール送信で送信可能なデータ量ごとに分割して送信することが可能である。又、自動的に何分割してメールが送信されたか、分割されたメールのうち何番目のメールであるか等の情報も付加して送信できる。
【００５７】
次に、メール受信側の動作を説明する。図７はメール受信側の端末の動作を示すフロー図である。
【００５８】
図７のＳ３１ステップにおいて、制御回路３６はメール本文を受信したと判定すると、Ｓ３２ステップへ処理を進める。
【００５９】
Ｓ３２ステップにおいて、制御回路３６は、受信したメールをＲＡＭ４０の受信フォルダに格納する。尚、この時、何分割して送られてきたメールであるかを示す情報と何番目のメールであるかを示す情報を受信しＲＡＭ４０に格納する。これらの情報はメールの本文から読み取っても良いし、メールのヘッダから読み取っても良い。
【００６０】
続くＳ３３ステップでは、制御回路３６は、上記Ｓ３１、Ｓ３２ステップで受信し格納した、何分割して送られてきたメールであるかを示す情報と、上記Ｓ３１、Ｓ３２ステップで受信した、何番目のメールであるかを示す情報を比較し、分割された数のメールを受信したか否かを判定する。ここで、制御回路３６は、分割された数のメールを受信したと判定すると、Ｓ３４ステップへ処理を進め、そうでなければ、Ｓ３１ステップへ処理を戻す。
【００６１】
ここで、所定件数受信されたか否かを判定する構成として、様々な方法が考えられる。例えば、分割メールであることを示す情報と何分割されたメールであるかを示す情報を受信し記憶し、次々と受信するメールに付加された情報と、上記分割メールであることを示す情報及び何分割されたメールであるかを示す情報を比較すればよい。尚、上記分割メールであることを示す情報を、送信側が１かたまりの分割メール毎に異ならせて送信すれば、受信側は分割されたメールを受信する際に、どの相手先からのどの分割メールを受信できたかを認識しやすくなる。
【００６２】
例えば、異なる相手先から送られてきたメールのヘッダに夫々同じ「１／３」の情報が付加されていても、送信側が１かたまりの分割メール毎に分割メールであることを示す情報を異ならせておけば、受信側は分割メールのつなぎ合わせが容易になる。
【００６３】
Ｓ３４ステップでは、制御回路３６は、ＲＡＭ４０の受信フォルダに格納されている分割されたメールを全て一時フォルダに格納し、ここで１つのメールに合成し、ＲＡＭ４０の受信フォルダに１件のメールとして格納する。尚、メールを合成する際には、制御回路３６は、何分割して送られてきたメールであるかを示す情報と何番目のメールであるかを示す情報を見て、分割して送られてきたメールを連続する一連のメール本文とするようにつなぎ合わせる。例えば、メールの受信フォルダに、本文の一部又はメールのヘッダに「１／３」、「２／３」、「３／３」の情報が格納されていれば、上記「１／３」、「２／３」、「３／３」の本文データを順につなぎ合わせればよい。
【００６４】
受信しつなぎ合わせたメールを受信フォルダからディスプレイ４２に表示させることにより、ユーザはつなぎ合わせたメールを１件のメールとして読むことが可能である。この為、分割送信されたメールを違和感なく１件のメールとして読むことが可能である。
【００６５】
このようにして受信したメールの、何分割して送られてきたメールであるかを示す情報と何番目のメールであるかを示す情報を見て、分割されたメールをつなぎ合わせて１件のメールとし、これをＲＡＭ４０に格納することができる。
【００６６】
このように、本実施例装置では、１つのメール本文を自動的に複数のメール本文に分けて送信することが可能であるので、ユーザは一々１件１件メールの作成処理を行なう必要がない。
【００６７】
又、メールを分割する際には、何分割して送られてきたメールであるかを示す情報と何番目のメールであるかを示す情報が自動的に本文に付加されるため、メール受信側のユーザは、本文を見ることで一目で分割したメールであるか否かを知ることが可能である。
【００６８】
更に、受信側は、何分割して送られてきたメールであるかを示す情報と何番目のメールであるかを示す情報に基づいて、自動的に分割して送られてきたメールを１件のメールとして格納することが可能である。
【００６９】
この為、受信側のユーザは、分割して送られてきたメールを１件のメール本文データとしてみることが可能である為、１件１件送られてきたメールを順番に見るといった面倒な操作を行う必要がない。
【００７０】
尚、受信した分割メールを分割した状態で表示可能としても良く、分割表示されたメールをユーザの操作に基づいてつなぎ合わせ、１つのメールとしても良い。この場合、受信した分割メールの本文には、それぞれ何分割して送られてきたメールであるかを示す情報と何番目のメールであるかを示す情報が表示されるため、ユーザは一目で分割メールであることを知ることができる。
【００７１】
又、分割したメールは受信時（或いは受信直後）につなぎ合わせるのではなく、Ｃメール受信フォルダを開いた際に行っても良い。
【００７２】
更に、送信された分割メールを全て受信できなかったことを考慮して、受信していないメールについては例えば、「２／２を受信していません」等のメッセージを表示する構成としても良い。このような構成とすることにより、分割したメールの一部だけ見たユーザがいたずらメールと勘違いすることがない。又、受信側ユーザから送信側ユーザに対して分割メールが送信できていないことを知らせる動機を作ることが可能である。
【産業上の利用可能性】
【００７３】
本発明は、Ｃメールを送受信可能な通信装置であれば携帯電話以外の通信装置にも利用可能である。
【図面の簡単な説明】
【００７４】
【図１】本発明を適用してなる実施例装置からなる構成図である。
【図２】本実施例装置の斜視図である。
【図３】本実施例装置の斜視図である。
【図４】本実施例装置のブロック図である。
【図５】本実施例装置のフロー図である。
【図６】本実施例装置のフロー図である。
【図７】本実施例装置のフロー図である。
【図８】本実施例装置のＲＡＭ４０の格納形態である。
【符号の説明】
【００７５】
３６  制御回路
４０  ＲＡＭ
４２  ディスプレイ
４４  入力部
４８  テンキー
５０  通話キー
５２  切キー
【図１】
2006260031.tif 000003
【図２】
2006260031.tif 000004
【図３】
2006260031.tif 000005
【図４】
2006260031.tif 000006
【図５】
2006260031.tif 000007
【図６】
2006260031.tif 000008
【図７】
2006260031.tif 000009
【図８】
2006260031.tif 000010